(57)【要約】【課題】就寝モード制御に基づく冷房運転中に通常運転から除湿機能を優先させる運転への切り換えを自動的に行うことができ、且つ、このような除湿を優先させる運転を行っても制御の安定性が損なわれるのを防ぐこと。【解決手段】インバータ周波数が１３Ｈｚを下回った状態で、空気調和目標温度と室温検出値との差が所定値以下となる状態、又は室内検出湿度が設定湿度を超えた状態が所定時間以上継続した場合、就寝モード制御手段１２は、電子膨張弁４を更に大きく絞った過絞り状態とする。このとき、就寝モード制御手段１２は、第２室内熱交換器７の入口側及び出口側にそれぞれ取り付けられた熱交温度検出器１６，１７から検出熱交温度Ｔｃ１，Ｔｃ２を入力しており、これらの温度差（Ｔｃ２−Ｔｃ１）に基づき電子膨張弁４の開度制御を行う。【選択図】　図１
2004093066.tif 000002
【特許請求の範囲】
【請求項１】
就寝モード制御に基づく冷房運転を行い、しかも、そのときの室温変化特性曲線が、制御開始時付近ではユーザ設定温度から室内温度が一旦漸減する漸減領域と、この漸減領域から移行した後は制御終了時まで室内温度が略漸増する漸増領域とを有するものである、空気調和機において、
前記漸増領域での冷房運転中にコンプレッサ回転数が所定レベルを下回り、且つ、予め設定した過絞り許可条件が成立した場合に、室外熱交換器と室内熱交換器との間に設けられている電子膨張弁の開度を通常冷房運転時よりも過絞り状態とする過絞り冷房運転を行うこと、
を特徴とする空気調和機。
【請求項２】
前記過絞り許可条件は、空気調和目標温度と室内検出温度との差が所定値以下となった状態、又は室内検出湿度が就寝時の操作に基づく設定湿度を超えた状態が、所定時間以上継続したことであること、
を特徴とする請求項１記載の空気調和機。
【請求項３】
前記過絞り冷房運転を行う場合の電子膨張弁の開度制御を冷媒回路中の所定の２個所の温度差に基づき行うこと、
を特徴とする請求項１又は２記載の空気調和機。
【請求項４】
前記過絞り冷房運転実行中の過熱度の制御を、前記コンプレッサの回転数を可変することにより行うこと、
を特徴とする請求項１乃至３のいずれかに記載の空気調和機。
【請求項５】
前記過絞り冷房運転実行中にコンプレッサが停止した場合にこのコンプレッサ停止時点の電子膨張弁の開度を記憶しておき、コンプレッサが復帰するときの電子膨張弁の開度を、前記記憶した開度に所定開度を加えた値とすること、
を特徴とする請求項１乃至４のいずれかに記載の空気調和機。
【請求項６】
前記就寝モード制御に基づく冷房運転を行っている間の室内ファン回転数をコンプレッサ回転数に応じて可変すること、
を特徴とする請求項１乃至５のいずれかに記載の空気調和機。
【請求項７】
前記コンプレッサが停止している場合には、室内温度に応じて室内ファン回転数を可変すること、
を特徴とする請求項６記載の空気調和機。
【発明の詳細な説明】
【０００１】
【発明の属する技術分野】
本発明は、睡眠時に適した冷房運転モードを有する空気調和機に関するものである。
【０００２】
【従来の技術】
一般に、人の睡眠中に行われる空調制御としては、人が起きている場合に行われる通常の空調制御とは異なった空調制御が要求される。これは、人間の身体の睡眠中の代謝量は、起きている場合に比べて低下するために、通常の空調制御を行ったのでは快適な睡眠を得ることができないからである。そのため、従来から、睡眠時に適した冷房運転モードとして「おやすみモード」などの名称で呼ばれる就寝モードが考えられ、この就寝モードに基づく冷房運転が行われている。そして、従来から一般的に行われている就寝モードに基づく冷房運転は、最初にユーザが設定した室内設定温度で一定時間運転した後、徐々に室温を上昇させていこうとするものであった（例えば、特許文献１参照）。このような室温制御によれば、人間の身体の睡眠中の代謝量低下に即応することができ、通常の冷房運転が行われた場合に比べてある程度快適な睡眠を得ることができる。
【０００３】
ところで、従来の「おやすみモード」は、基本的には、一晩中冷房運転を継続して行うことを前提としておらず、ある程度運転が継続され外気が低下してくる時間帯になったら冷房運転が停止されるようにユーザが運転時間を設定することを前提として考えられていた。そのため、「おやすみモード」において、室内湿度が高くなった場合に通常の冷房運転から自動的に除湿運転に切り換わる制御は殆ど考えられておらず、このような場合にはユーザは手動で切り換え操作を行わなければならなかった。
【０００４】
そこで、「おやすみモード」においても除湿運転への切り換えが自動的に行われる制御を導入することが要求されるところである。特に、最近は各家庭におけるエアコンの普及度合いは大きく進歩し、また、近時は所謂「ヒートアイランド現象」による夜間の高温多湿化が激しくなっていることから、「おやすみモード」も一晩中冷房運転を継続して行うことを前提とせざるを得ない情況になりつつある。
【０００５】
この場合、最近の空気調和機において多く用いられている除湿運転方式の一つに所謂「再熱ドライ運転方式」がある。これは、室内機に２台の室内熱交換器を備えるようにし、除湿時には一方の室内熱交換器を室外熱交換器と同様に凝縮器として機能させると共に、他方の熱交換器を蒸発器として機能させるものである（例えば、特許文献２参照）。また、他の除湿運転方式の一つに所謂「過絞り冷房運転方式」がある。これは、室外熱交換器と室内熱交換器との間に設けられている電子膨張弁の開度を通常の冷房運転モード時よりも大きく絞り、冷媒の蒸発を室内熱交換器の出口手前で完了させるようにしたものである（例えば、特許文献３参照）。
【０００６】
【特許文献１】
特開２００１−３２４１８９号公報（第２頁、図４）
【０００７】
【特許文献２】
特開２００１−２８０６６８号公報（第２頁、図６）
【０００８】
【特許文献３】
特開平１０−１０３７９１号公報（第５頁〜第６頁、図４）
【０００９】
【発明が解決しようとする課題】
しかし、「おやすみモード」における冷房運転は、外気が低下する夜間での運転であり、また、次第に室温を上昇させるようにしているので、低能力運転となるのが通常である。したがって、室内熱交換器温度はそれほど低くならず、また、コンプレッサのオンオフが頻繁に繰り返されるので温度特性及び湿度特性にハンチングが生じやすくなっている。「おやすみモード」における冷房運転は、通常の冷房運転に比べてこのような特殊性を有しているため、従来から行われている再熱ドライ運転方式や過絞り冷房運転方式を単にそのまま無条件に導入したのでは、冷媒量の不足によってこれらの方式での運転を一定時間以上行うことができなくなったり、あるいは、除湿に関しては所望の機能が得られる反面、今度は室温制御の方が不安定となる等の問題が生じる虞がある。
【００１０】
本発明は、上記事情に鑑みてなされたものであり、就寝モード制御に基づく冷房運転中に通常運転から除湿機能を優先させる運転への切り換えを自動的に行うことができ、且つ、このような除湿を優先させる運転を行っても制御の安定性が損なわれることのない空気調和機を提供することを目的としている。
【００１１】
【課題を解決するための手段】
上記課題を解決するための手段として、請求項１記載の発明は、就寝モード制御に基づく冷房運転を行い、しかも、そのときの室温変化特性曲線が、制御開始時付近ではユーザ設定温度から室内温度が一旦漸減する漸減領域と、この漸減領域から移行した後は制御終了時まで室内温度が略漸増する漸増領域とを有するものである、空気調和機において、前記漸増領域での冷房運転中にコンプレッサ回転数が所定レベルを下回り、且つ、予め設定した過絞り許可条件が成立した場合に、室外熱交換器と室内熱交換器との間に設けられている電子膨張弁の開度を通常冷房運転時よりも過絞り状態とする過絞り冷房運転を行うこと、を特徴とする。
【００１２】
請求項２記載の発明は、請求項１記載の発明において、前記過絞り許可条件は、空気調和目標温度と室内検出温度との差が所定値以下となった状態、又は室内検出湿度が就寝時の操作に基づく設定湿度を超えた状態が、所定時間以上継続したことであること、を特徴とする。
【００１３】
請求項３記載の発明は、請求項１又は２記載の発明において、前記過絞り冷房運転を行う場合の電子膨張弁の開度制御を冷媒回路中の所定の２個所の温度差に基づき行うこと、を特徴とする。
【００１４】
請求項４記載の発明は、請求項１乃至３のいずれかに記載の発明において、前記過絞り冷房運転実行中の過熱度の制御を、前記コンプレッサの回転数を可変することにより行うこと、を特徴とする。
【００１５】
請求項５記載の発明は、請求項１乃至４のいずれかに記載の発明において、前記過絞り冷房運転実行中にコンプレッサが停止した場合にこのコンプレッサ停止時点の電子膨張弁の開度を記憶しておき、コンプレッサが復帰するときの電子膨張弁の開度を、前記記憶した開度に所定開度を加えた値とすること、を特徴とする。
【００１６】
請求項６記載の発明は、請求項１乃至５のいずれかに記載の発明において、前記就寝モード制御に基づく冷房運転を行っている間の室内ファン回転数をコンプレッサ回転数に応じて可変すること、を特徴とする。
【００１７】
請求項７記載の発明は、請求項６記載の発明において、前記コンプレッサが停止している場合には、室内温度に応じて室内ファン回転数を可変すること、を特徴とする。
【００１８】
【発明の実施の形態】
以下、本発明の実施形態を図に基づき説明する。図１は、本発明の実施形態に係る空気調和機の構成図である。なお、この実施形態では、２つの室内熱交換器を備えた所謂「再熱ドライ型」の空気調和機を例に取り説明する。
【００１９】
図１において、コンプレッサ１で圧縮され高温高圧で気体化された冷媒は四方弁２を通って（図示された四方弁２内の冷媒経路は冷房時のものを示している）凝縮器としての室外熱交換器３に送出され、ここで外気との熱交換により凝縮液化されて高温高圧の液冷媒とされるようになっている。この高温高圧の液冷媒は電子膨張弁４で絞られることにより低温低圧の液冷媒となって第１室内熱交換器５に送られ、更に電子膨張弁６を通って第２室内熱交換器７に送られるようになっている。低温低圧となった液冷媒は、蒸発器として機能するこれら２つの室内熱交換器５，７で室内空気と熱交換を行って気化し、低温低圧の気体状冷媒となる。室内空気はこのときの液冷媒との熱交換により熱を奪われるので、室温が低下することになる。そして、第２室内熱交換器７からの気体状冷媒は、再度四方弁２を通ってコンプレッサ１の吸入側に送られ、このコンプレッサ１で圧縮されて上記と同様の過程を繰り返すようになっている。なお、電子膨張弁６は再熱ドライ運転を行うとき以外は全開状態となっており、また、本発明を説明する場合には再熱ドライ運転を考える必要がないので、第１室内熱交換器５及び第２室内熱交換器７は全体として一つの室内熱交換器と考えることができる。
【００２０】
コンプレッサ１は、インバータ装置８からの電力供給により回転駆動されるようになっており、また、室外熱交換器３にはプロペラ型の室外ファン９が、室内熱交換器５，７には横流型の室内ファン１０がそれぞれ取り付けられて熱交換が促進されるようになっている。これらインバータ装置８、室外ファン９、及び室内ファン１０は、運転制御回路１１の就寝モード制御手段１２からの制御信号により制御されるようになっている。
【００２１】
そして、リモコン１３からは、ユーザの操作により設定された室温設定値Ｔｓ及び湿度設定値Ｈｓが就寝モード制御手段１２に出力されるようになっている。また、室内機の吹き出し口付近すなわち室内ファン１０の付近には室温検出器１４及び湿度検出器１５が取り付けられており、これらからの室温検出値Ｔａ及び湿度検出値Ｈａも就寝モード制御手段１２に出力されるようになっている。更に、第２室内熱交換器７の冷媒入口部及び冷媒出口部にはそれぞれ熱交温度検出器１６，１７が取り付けられており、これらからの熱交温度Ｔｃ１，Ｔｃ２も就寝モード制御手段１２に出力されるようになっている。
【００２２】
就寝モード制御手段１２は、これらの各信号の入力に基づき、インバータ装置８を介してコンプレッサ１の可変速制御を行うと共に、室外ファン９、及び室内ファン１０を制御し、更に、電子膨張弁４の開度制御を行うようになっている。つまり、本発明は、就寝モード制御手段１２が上記の各信号を入力し、一定の条件が満足されたと判断した場合に、前述した過絞り冷房運転を行い、過絞り冷房運転のメリットを活かして除湿機能を優先させた制御を行おうとするものである。なお、この実施形態では、再熱ドライ運転方式は考えないことにするため、図１において、運転制御回路１１から電子膨張弁６に向かう矢印線の記載は省略している。
【００２３】
次に、本実施形態で行われる過絞り冷房運転の切換条件につき説明しておく。図２は、本実施形態の「おやすみモード」により冷房運転を行った場合の室温変化特性曲線を示す説明図である。この「おやすみモード」の例は、ユーザが時刻ｔ０〜ｔ３を運転時間とし、また、室内設定温度をＴｓに設定していることを示している。そして、この室温変化特性曲線は、時刻ｔ０以降まもなく室内温度が設定温度Ｔｓのレベルから一旦漸減する漸減領域（時刻ｔ１〜ｔ２）と、この漸減領域から移行した後は時刻ｔ３まで室内温度が略漸増する漸増領域（時刻ｔ２〜ｔ３）とを有している。このような漸減領域を設けている理由は、人間の睡眠状態は入眠後まもなくノンレム睡眠となって体温が低下し発汗現象を伴うので、この体温低下に合わせて室温を低下させるようにするためである。また、漸増領域を設けている理由は、室温を体温より大きく低下させたままにしておくと人間は入眠当初は心地よさを感じるが、その後は次第に寒さを強く感じるようになって途中で目を覚ましてしまう虞があるので、次第に室温を体温へ近づけることにより心地よい目覚めが迎えられるようにするためである。
【００２４】
上記の室温変化特性曲線において、時刻ｔ０〜ｔ２は、比較的短時間で温度を大きく低下させる必要があり、また、これから入眠しようとするユーザがデリケートな生理状態にある時間帯である。したがって、室内熱交換器に送られる冷媒流量を大きく制限する過絞り冷房運転は、この時刻ｔ０〜ｔ２の区間で行われるのは好ましくなく、時刻ｔ２〜ｔ３の漸増領域に係る区間で行われることが好ましい。
【００２５】
そこで、本実施形態では、「おやすみモード」において、就寝モード制御手段１２が通常の冷房運転を過絞り冷房運転に切り換える場合の切換条件を、コンプレッサ１の回転数（つまりインバータ装置８の出力周波数〔Ｈｚ〕）が所定レベルを下回り、且つ予め設定されている過絞り許可条件が成立したこととしている。そして、本実施形態では、この場合の過絞り許可条件を、空気調和目標温度と室内検出温度との差が所定値以下となった状態、又は、室内検出湿度が就寝時の操作に基づく設定湿度を超えた状態が、所定時間以上継続したことであること、としている。なお、本明細書において、「設定温度」及び「設定湿度」とは、ユーザがリモコン１３の操作により設定した温度及び湿度のことを言い、「空気調和目標温度」とは運転制御回路１１が運転中に制御目標とする温度のことを言うものとする。
【００２６】
上記のコンプレッサの回転数が所定レベルを下回るという条件は、冷房能力の低下状態が直接的に反映された条件であり、「おやすみモード」において過絞り冷房運転に切り換える際の必須の条件として好適なものである。これに対し、上記特許文献３に係る装置では、外気温−室温特性により定まる領域から切換条件を規定しているが、この領域の全てにわたって低能力であるとは言えず、必ずしも「おやすみモード」における過絞り冷房運転に適したものとは言えない。
【００２７】
図３は、通常冷房運転と過絞り冷房運転との間の基本的な切換条件となるコンプレッサ１の回転数（すなわちインバータ装置８の周波数）のレベルを示す説明図である。この図に示されるように、通常冷房運転を行っている間にインバータ周波数が次第に低下し、やがて１３〔Ｈｚ〕を下回ると、通常冷房運転は過絞り冷房運転に切り換わるようになっている。また、過絞り冷房運転を行っている間にインバータ周波数が次第に上昇し、やがて１８〔Ｈｚ〕を上回ると、過絞り冷房運転は通常冷房運転に切り換わるようになっている。
【００２８】
本発明では、上記のようなコンプレッサの回転数の条件に所定の過絞り許可条件を組み合わせている。そして、本実施形態では、このような過絞り許可条件を、前記のように、「空気調和目標温度と室内検出温度との差が所定値以下となった状態、又は室内検出湿度が就寝時の操作に基づく設定湿度を超えた状態が、所定時間以上継続したことであること、」と具体的に規定しており、「おやすみモード」において過絞り冷房運転を行うことにより確実に除湿機能又はこの除湿機能に基づく良好な室温制御機能が得られるようにしている。つまり、本発明では、過絞り許可条件の内容を変えることにより、「おやすみモード」において種々の情況に対して過絞り冷房運転を安定して実行することが可能となり、過絞り冷房運転のメリットを有効に引き出すことができる。
【００２９】
本実施形態では、過絞り許可条件を上記のように除湿機能又はこの除湿機能に基づく良好な室温制御機能が得られるように規定しているが、これは、過絞り冷房運転を実行すると少ない量の冷媒が室内熱交換器に送られ室内熱交換器の出口前で冷媒の蒸発が完了し、低能力状態でも室内熱交換器温度を低くすることができ充分な除湿能力を得ることができるからである。
【００３０】
そして、本発明では、その他にも、例えば、液バック現象が発生しやすい環境が現れた場合に、この過絞り許可条件を適切に規定することにより、液バック現象の発生を未然に防ぐことも可能になる。これは、過絞り冷房運転では、少ない量の冷媒が室内熱交換器に送りこまれ、過熱状態となった気体状冷媒が室内熱交換器から送出されるため、通常の冷房運転では起こりがちなコンプレッサに対する液バック現象が、この過絞り冷房運転では発生することがないからである。
【００３１】
次に、本実施形態の動作につき説明する。例えば、就寝時にユーザがリモコン１３の操作により時刻ｔ０〜ｔ３の期間を「おやすみモード」に設定し、そのときの設定温度をＴｓ（例えば、２６℃）、設定湿度をＨｓ（例えば、５０％）に設定したとする。なお、通常、ユーザが設定できる設定湿度の値は、空気調和機メーカーの仕様により、４５〜６０％の範囲に限定されているのが通常である。
【００３２】
時刻ｔ０になると、就寝モード制御手段１２は「おやすみモード」を開始し、インバータ装置８に対して起動指令を出力する。これにより、インバータ装置８からコンプレッサ１に電力が供給され、コンプレッサ１が回転駆動される。このコンプレッサ１の回転駆動により、気体状低温定圧冷媒が圧縮されて気体状高温高圧冷媒となり、これが冷媒回路へ送り出されて、室外熱交換器３及び室内熱交換器５，７での熱交換が行われる。そして、室内熱交換器５，７における冷媒蒸発により室内空気が冷却され、室内温度は設定温度である２６℃まで低下する。なお、このとき電子膨張弁４は通常冷房運転用の開度に絞られており、また、前述したように、本実施形態において電子膨張弁６は全開となっている。
【００３３】
時刻ｔ１になると、本実施形態の「おやすみモード」は漸減領域に入り、室内温度は次第に低下する。そして、漸減領域の終了時点である時刻ｔ２では、例えば、２４．５℃に室内温度が低下する。前述したように、時刻ｔ０〜ｔ２は、比較的短時間で温度を大きく低下させる必要があり、また、これから入眠しようとするユーザがデリケートな生理状態にある時間帯であるから、この時間帯で通常冷房運転から過絞り冷房運転に切り換わるのは好ましくない。しかし、本実施形態では、過絞り許可条件を、「空気調和目標温度と室内検出温度との差が所定値以下となった状態、又は室内検出湿度が就寝時の操作に基づく設定湿度を超えた状態が、所定時間以上継続したことであること、」と規定しているので、この時間帯に過絞り冷房運転に切り換わることは殆どない。つまり、この時間帯は、比較的短時間で温度が大きく変化するため、室内検出湿度が設定湿度を上回る状態が所定時間以上継続することは充分あり得るが、通常、「おやすみモード」開始直後にインバータ周波数が１３ヘルツを下回ることは殆どなく、したがって、過絞り冷房運転に切り換わることはない。
【００３４】
時刻ｔ２を過ぎると、室温変化が緩やかになる漸増領域にはいるので、インバータ周波数が１３Ｈｚを下回った状態で、空気調和目標温度と室温検出値との差が所定値以下となる状態、又は室内検出湿度が設定湿度を超えた状態が所定時間以上継続することは充分にあり得る。このような場合、就寝モード制御手段１２は、電子膨張弁４を更に大きく絞った過絞り状態とする。このとき、就寝モード制御手段１２は、第２室内熱交換器７の入口側及び出口側にそれぞれ取り付けられた熱交温度検出器１６，１７から検出熱交温度Ｔｃ１，Ｔｃ２を入力しており、これらの温度差（Ｔｃ２−Ｔｃ１）に基づき電子膨張弁４の開度制御を行っている。つまり、この温度差（Ｔｃ２−Ｔｃ１）は冷媒の過熱度にほぼ対応しており、就寝モード制御手段１２は過熱度に基づき電子膨張弁４のフィードバック制御を行っていると考えることができる。なお、冷媒の過熱度とは、室内熱交換器の途中個所において冷媒の蒸発が完了したときの温度を熱交温度Ｔｃ０とし、その後この蒸気が過熱されて室内熱交換器から出ていくときの温度をＴｃ２とした場合に、通常、（Ｔｃ２−Ｔｃ０）として定義されるものであるが、温度差（Ｔｃ２−Ｔｃ１）の変化は過熱度（Ｔｃ２−Ｔｃ０）の変化にほぼ対応するので開度制御を行う上で問題はない。
【００３５】
ところで、過絞り冷房運転とは電子膨張弁４の開度を通常冷房運転時よりも大きく絞ることにより、室内熱交換器側へ供給する冷媒量を減少させ、過熱状態となった冷媒蒸気が室内熱交換器出口から出るようにする制御であるが、室内熱交換器側への冷媒量の減少をコンプレッサ１の回転数を落とすことにより行うこともできる。したがって、就寝モード制御手段１２は、所定の切換条件が満たされた場合、電子膨張弁４の開度を絞ることにより通常冷房運転から過絞り冷房運転に切り換えを行うことができるが、過絞り冷房運転に切り換えた後も、更にコンプレッサ１の回転数制御により冷媒量の絞り具合を調整することができ過熱度を制御できる。つまり、就寝モード制御手段１２は、電子膨張弁４の開度制御と、コンプレッサ１の回転数制御を組み合わせることにより、よりきめ細かく過熱度を制御することができ、安定した過絞り冷房運転を行うことができる。
【００３６】
また、本実施形態では、過絞り冷房運転を行っている間にコンプレッサ１が停止した場合、就寝モード制御手段１２はこの停止時点での電子膨張弁４の開度を記憶しておき、コンプレッサ１の復帰時には、この記憶しておいた開度に所定開度を加えた値を用いることにより、コンプレッサ復帰後に直ちに過絞り冷房運転に移行できるようにしている。インバータ制御技術が進歩し、コンプレッサの低速回転を安定して行えるようになった最近の空気調和機では、通常冷房運転においても過絞り冷房運転においても、コンプレッサが停止することは少なくなってきているが、外気温度が極端に低下したりするような特殊な状態ではコンプレッサ１が停止するような事態も起こり得る。このような場合、上記のように、コンプレッサ停止時の電子膨張弁４の開度を記憶して、復帰時にこれを利用することにより、復帰後も迅速に過絞り冷房運転を実行することができる。
【００３７】
ここで、本実施形態では、就寝モード制御手段１２が出力する制御パルス数により電子膨張弁４の開度が制御されるようになっている。就寝モード制御手段１２は電子膨張弁４を全開状態にしようとする場合、例えば５００パルスを出力し、逆に、全閉状態にしようとする場合は２００パルスを出力すればよい。したがって、例えば、コンプレッサ１停止時の電子膨張弁４の開度が３００パルスであったとすれば、就寝モード制御手段１２はこの３００パルスの開度を記憶しておき、コンプレッサ復帰時にはこの３００パルスに所定開度分（例えば、１０パルス）を加えた３１０パルスを復帰当初の電子膨張弁４の開度として制御を開始すればよい。なお、コンプレッサ復帰時に所定開度分の１０パルスを加えるのは、３００パルスのときにコンプレッサが停止したのであるから、復帰後も同じ３００パルスで過絞り冷房運転を再開したのでは直ぐにまたコンプレッサが停止する虞があるため、ある程度冷媒量の絞り程度に余裕を持たせる必要があるためである。
【００３８】
就寝モード制御手段１２は、上記のような条件に基づき過絞り冷房運転への切り換えを行うことにより、「おやすみモード」において安定した除湿機能を発揮させることができる。
【００３９】
また、本実施形態における就寝モード制御手段１２は、通常冷房運転時及び過絞り冷房運転時のいずれにおいても、室内ファン１０の回転数をコンプレッサ１の回転数変化に応じて可変速制御することにより、室温制御機能及び除湿機能を向上できるようになっている。この場合、就寝モード制御手段１２は下式（１）に基づき室内ファン１０の回転数Ｒ１を決定する。このような室内ファン１０の可変速制御により、コンプレッサの回転数の変化にかかわらず室内熱交換器温度を一定とすることができ、室内熱交換器５，７の冷却能力を安定化することができる。
【００４０】
Ｒ１＝Ｒ０＋（ｆ−ｆ０）・ｋ１　……　（１）
Ｒ１：室内ファン１０の回転数〔ｒｐｍ〕
Ｒ０：室内ファン基準回転数〔ｒｐｍ〕（例えば、６００〔ｒｐｍ〕）
ｆ：コンプレッサ１の回転数〔Ｈｚ〕
ｆ０：コンプレッサ基準回転数〔Ｈｚ〕（例えば、１０〔Ｈｚ〕）
ｋ１：定数〔ｒｐｍ／Ｈｚ〕（例えば、１０〔ｒｐｍ／Ｈｚ〕）
更に、コンプレッサ１の停止時にも、就寝モード制御手段１２は、空気調和目標温度と室内検出温度との差の変化に基づき室内ファン１０の回転数を下式（２）に基づき可変速制御できるようになっている。これにより、コンプレッサが停止している状態においても、室内ファンの風速により室内の温熱感をコントロールすることができる。
【００４１】
Ｒ２＝Ｒ０−（Ｔｍ−Ｔａ）・ｋ２　……　（２）
Ｒ２：コンプレッサ停止時の室内ファン１０の回転数〔ｒｐｍ〕
Ｒ０：室内ファン基準回転数〔ｒｐｍ〕（例えば、６００〔ｒｐｍ〕）
Ｔｍ：空気調和目標温度〔Ｋ°〕
Ｔａ：室内検出温度〔Ｋ°〕
ｋ２：定数〔ｒｐｍ／Ｋ°〕（例えば、１００〔ｒｐｍ／Ｋ°〕）
【００４２】
【発明の効果】
以上のように、本発明によれば、漸増領域での冷房運転中にコンプレッサ回転数が所定レベルを下回り、且つ、予め設定した過絞り許可条件が成立した場合に、室外熱交換器と室内熱交換器との間に設けられている電子膨張弁の開度を通常冷房運転時よりも過絞り状態とする過絞り冷房運転を行う構成としたので、就寝モード制御に基づく冷房運転中に通常運転から除湿機能を優先させる運転への切り換えを自動的に行うことができ、且つ、このような除湿を優先させる運転を行っても制御の安定性が損なわれるのを防ぐことができる。
【図面の簡単な説明】
【図１】本発明の実施形態に係る空気調和機の構成図。
【図２】本実施形態の「おやすみモード」により冷房運転を行った場合の室温変化特性曲線を示す説明図。
【図３】通常冷房運転と過絞り冷房運転との間の基本的な切換条件となるコンプレッサ１の回転数（すなわちインバータ装置８の周波数）のレベルを示す説明図。
【符号の説明】
１　コンプレッサ
２　四方弁
３　室外熱交換器
４　電子膨張弁
５　第１室内熱交換器
６　電子膨張弁
７　第２室内熱交換器
８　インバータ装置
９　室外ファン
１０　室内ファン
１１　運転制御回路
１２　就寝モード制御手段
１３　リモコン
１４　室温検出器
１５　湿度検出器
１６，１７　熱交温度検出器
Ｔｓ　室温設定値
Ｔａ　室温検出値
Ｈｓ　湿度設定値
Ｈａ　湿度検出値
Ｔｃ１，Ｔｃ２　熱交温度
【図１】
2004093066.tif 000003
【図２】
2004093066.tif 000004
【図３】
2004093066.tif 000005